(57)【要約】【課題】光ディスク再生装置において、消費電力を抑えつつ、光ピックアップの温度上昇を抑制できるようにする。【解決手段】光ディスク再生装置１は、光ディスク１０を回転させるスピンドルモータ７１と、光ディスク１０に光を投光すると共に光ディスクからの反射光を受光する光ピックアップ７２と、光ピックアップ７２の周辺の空気を流通させるファン２６とを備える。光ディスク再生装置１は、スピンドルモータ７１により光ディスク１０を回転させて、光ピックアップ７２により光ディスク１０に光を投光すると共に光ディスク１０からの反射光を受光して、光ディスク１０から記録データを読取る。光ディスク１の回転の角速度が所定の角速度よりも遅い状況であるときに、ファン２６を駆動し、光ディスク１０の回転の角速度が所定の角速度よりも遅い状況でないときに、ファン２６の駆動を停止する。【選択図】図２
2012038394.tif 000002
【特許請求の範囲】
【請求項１】
光ディスクを回転させるためのスピンドルモータと、前記スピンドルモータに接近、離反する方向に移動し、光ディスクに光を投光すると共に光ディスクからの反射光を受光する光ピックアップとを備え、
前記スピンドルモータにより光ディスクを回転させて、前記光ピックアップにより光ディスクに光を投光すると共に光ディスクからの反射光を受光して、光ディスクから記録データを読取る光ディスク再生装置において、
駆動されることにより空気を取込んで送出して、前記光ピックアップの周辺の空気を流通させるファンと、
前記ファンの駆動を制御するファン駆動制御手段とを備え、
前記ファン駆動制御手段は、光ディスクから記録データを読取る動作が行われているときにおいて、所定の状況であるときに、前記ファンを駆動し、所定の状況でないときに、前記ファンの駆動を停止する、
ことを特徴とする光ディスク再生装置。
【請求項２】
前記所定の状況とは、前記光ディスクの回転の角速度が所定の角速度よりも遅い状況であり、
前記ファン駆動制御手段は、前記光ディスクの回転の角速度が所定の角速度よりも遅い状況であるときに、前記ファンを駆動し、前記光ディスクの回転の角速度が所定の角速度よりも遅い状況でないときに、前記ファンの駆動を停止する、
ことを特徴とする請求項１に記載の光ディスク再生装置。
【請求項３】
前記スピンドルモータは、光ディスクから記録データを読取る動作が行われているときにおいて、光ディスク上の記録データの読取位置における光ディスクの線速度が所定の線速度となるように、光ディスクを回転させ、
前記所定の状況とは、前記光ピックアップの位置が所定の位置よりも前記スピンドルモータから離れている状況であり、
前記ファン駆動制御手段は、前記光ピックアップの位置が所定の位置よりも前記スピンドルモータから離れている状況であるときに、前記ファンを駆動し、前記光ピックアップの位置が所定の位置よりも前記スピンドルモータから離れている状況でないときに、前記ファンの駆動を停止する、
ことを特徴とする請求項１に記載の光ディスク再生装置。
【請求項４】
前記スピンドルモータは、光ディスクから記録データを読取る動作が行われているときにおいて、光ディスク上の記録データの読取位置における光ディスクの線速度が所定の線速度となるように、光ディスクを回転させ、
前記所定の状況とは、光ディスク上の記録データの読取位置が所定の読取位置よりも光ディスクの外周側である状況であり、
前記ファン駆動制御手段は、光ディスク上の記録データの読取位置が所定の読取位置よりも光ディスクの外周側である状況であるときに、前記ファンを駆動し、光ディスク上の記録データの読取位置が所定の読取位置よりも光ディスクの外周側である状況でないときに、前記ファンの駆動を停止する、
ことを特徴とする請求項１に記載の光ディスク再生装置。
【請求項５】
前記所定の状況とは、前記光ピックアップの周辺の空気の温度が所定の温度よりも高い状況であり、
前記ファン駆動制御手段は、前記光ピックアップの周辺の空気の温度が所定の温度よりも高い状況であるときに、前記ファンを駆動し、前記光ピックアップの周辺の空気の温度が所定の温度よりも高い状況でないときに、前記ファンの駆動を停止する、
ことを特徴とする請求項１に記載の光ディスク再生装置。
【請求項６】
回路基板上に設けられるブラケットと、
前記ブラケット上に設けられ、前記スピンドルモータ及び前記光ピックアップを支持するトラバースシャーシと、
前記ファンから送出された空気を前記光ピックアップの周辺に導くためのダクトとをさらに備え、
前記ブラケットと前記トラバースシャーシとの間には、前記光ピックアップの移動する空間に連通する隙間が設けられており、
前記ダクトは、前記ファンから送出された空気が流入する空気流入口と、該空気流入口から流入した空気を流出する空気流出口とを有し、該空気流出口は、その面積が前記空気流入口の面積よりも小さく、前記ブラケットと前記シャーシとの間の隙間に対向している、
ことを特徴とする請求項１に記載の光ディスク再生装置。
【発明の詳細な説明】
【技術分野】
【０００１】
本発明は、光ディスクから記録データを読取る光ディスク再生装置に関するものである。
【背景技術】
【０００２】
従来から、光ディスク再生装置は、スピンドルモータにより光ディスクを回転させて、光ピックアップにより光ディスクに光を投光すると共に光ディスクからの反射光を受光して、光ディスクから記録データを読取るようになっている。このような光ディスク再生装置では、光ピックアップの使用周囲温度を維持するために、装置内部（特に光ピックアップの周辺）を冷却する必要がある。特に、携帯型の光ディスク再生装置では、小型であり、装置容積が小さいため、ＩＣなどの発熱部品の冷却能力が極端に低く、装置内部を冷却することが重要となる。また、高機能ＩＣは、発熱量が多いため、高機能ＩＣを用いる場合にも、装置内部を冷却することが重要となる。
【０００３】
そこで、光ディスク再生装置において、光ディスクの回転により発生する気流を利用して、装置内部を冷却するようにしたものが考えられている。また、装置内部にファンを設け、ファンにより気流を発生させて、ファンにより発生させた気流によって、装置内部を冷却するようにしたものも知られている（例えば特許文献１乃至特許文献５参照）。
【先行技術文献】
【特許文献】
【０００４】
【特許文献１】特開平９−１４７５４１号公報
【特許文献２】特開２００４−１６４７３３号公報
【特許文献３】特許第２９８８４７１号公報
【特許文献４】特開２００５−９３０２３号公報
【特許文献５】特開２００６−１７９０７１号公報
【発明の概要】
【発明が解決しようとする課題】
【０００５】
ところで、光ディスクからの記録データの読取は、光ディスク上の記録データの読取位置における光ディスクの線速度を所定の線速度で一定に保って行うようになっている。すなわち、光ディスクからの記録データの読取位置によって、光ディスクの回転数（回転の角速度）が異なり、光ディスクの内周側の記録データを読取っているときには、光ディスクの回転数が高く（回転の角速度が速く）、光ディスクの外周側の記録データを読取っているときには、光ディスクの回転数が低い（回転の角速度が遅い）。
【０００６】
このため、光ディスクの回転により発生する気流を利用して装置内部を冷却する構成においては、回転数が低いとき（光ディスクの外周側の記録データを読取っているとき）に、光ディスクの回転により発生する気流が弱くなり、装置内部を冷却する効果が低減する。その結果、光ピックアップの温度上昇を抑制することができず、光ピックアップの使用周囲温度を維持できなくなって、動作に支障をきたす虞がある。
【０００７】
また、ファンにより発生させた気流によって装置内部を冷却する構成においては、ファンを駆動するための電力が必要であり、消費電力が多くなる。特に、光ディスク再生装置がバッテリの電力で動作する携帯型のものである場合には、ファンを駆動する分だけ、バッテリの電力を短時間で消費することになり、長時間の使用に支障をきたす虞がある。
【０００８】
本発明は、上記課題を解決するためになされたものであり、消費電力を抑えつつ、光ピックアップの温度上昇を抑制することができる光ディスク再生装置を提供することを目的とする。
【課題を解決するための手段】
【０００９】
上記目的を達成するために請求項１の発明は、光ディスクを回転させるためのスピンドルモータと、スピンドルモータに接近、離反する方向に移動し、光ディスクに光を投光すると共に光ディスクからの反射光を受光する光ピックアップとを備え、スピンドルモータにより光ディスクを回転させて、光ピックアップにより光ディスクに光を投光すると共に光ディスクからの反射光を受光して、光ディスクから記録データを読取る光ディスク再生装置において、駆動されることにより空気を取込んで送出して、光ピックアップの周辺の空気を流通させるファンと、ファンの駆動を制御するファン駆動制御手段とを備え、ファン駆動制御手段は、光ディスクから記録データを読取る動作が行われているときにおいて、所定の状況であるときに、ファンを駆動し、所定の状況でないときに、ファンの駆動を停止するものである。
【００１０】
請求項２の発明は、請求項１に記載の光ディスク再生装置において、所定の状況とは、光ディスクの回転の角速度が所定の角速度よりも遅い状況であり、ファン駆動制御手段は、光ディスクの回転の角速度が所定の角速度よりも遅い状況であるときに、ファンを駆動し、光ディスクの回転の角速度が所定の角速度よりも遅い状況でないときに、ファンの駆動を停止するものである。
【００１１】
請求項３の発明は、請求項１に記載の光ディスク再生装置において、スピンドルモータは、光ディスクから記録データを読取る動作が行われているときにおいて、光ディスク上の記録データの読取位置における光ディスクの線速度が所定の線速度となるように、光ディスクを回転させ、所定の状況とは、光ピックアップの位置が所定の位置よりもスピンドルモータから離れている状況であり、ファン駆動制御手段は、光ピックアップの位置が所定の位置よりもスピンドルモータから離れている状況であるときに、ファンを駆動し、光ピックアップの位置が所定の位置よりもスピンドルモータから離れている状況でないときに、ファンの駆動を停止するものである。
【００１２】
請求項４の発明は、請求項１に記載の光ディスク再生装置において、スピンドルモータは、光ディスクから記録データを読取る動作が行われているときにおいて、光ディスク上の記録データの読取位置における光ディスクの線速度が所定の線速度となるように、光ディスクを回転させ、所定の状況とは、光ディスク上の記録データの読取位置が所定の読取位置よりも光ディスクの外周側である状況であり、ファン駆動制御手段は、光ディスク上の記録データの読取位置が所定の読取位置よりも光ディスクの外周側である状況であるときに、ファンを駆動し、光ディスク上の記録データの読取位置が所定の読取位置よりも光ディスクの外周側である状況でないときに、ファンの駆動を停止するものである。
【００１３】
請求項５の発明は、請求項１に記載の光ディスク再生装置において、所定の状況とは、光ピックアップの周辺の空気の温度が所定の温度よりも高い状況であり、ファン駆動制御手段は、光ピックアップの周辺の空気の温度が所定の温度よりも高い状況であるときに、ファンを駆動し、光ピックアップの周辺の空気の温度が所定の温度よりも高い状況でないときに、ファンの駆動を停止するものである。
【００１４】
請求項６の発明は、請求項１に記載の光ディスク再生装置において、回路基板上に設けられるブラケットと、ブラケット上に設けられ、スピンドルモータ及び光ピックアップを支持するトラバースシャーシと、ファンから送出された空気を光ピックアップの周辺に導くためのダクトとをさらに備え、ブラケットとトラバースシャーシとの間には、光ピックアップの移動する空間に連通する隙間が設けられており、ダクトは、ファンから送出された空気が流入する空気流入口と、該空気流入口から流入した空気を流出する空気流出口とを有し、該空気流出口は、その面積が空気流入口の面積よりも小さく、ブラケットとシャーシとの間の隙間に対向しているものである。
【発明の効果】
【００１５】
請求項１乃至請求項６の発明によれば、光ピックアップの温度上昇を抑制するのに、光ディスクの回転により発生する気流を利用するだけでは不十分な状況であるときに、ファンを駆動すると共に、光ディスクの回転により発生する気流を利用するだけで十分な状況であるときに、ファンの駆動を停止することが可能である。従って、このようにファンの駆動を制御することにより、消費電力を抑えつつ、光ピックアップの温度上昇を抑制することができる。
【図面の簡単な説明】
【００１６】
【図１】（ａ）は本発明の一実施形態に係る光ディスク再生装置の概略構成を示すディスクカバーを閉じた状態の斜視図、（ｂ）は同ディスクカバーを開いた状態の斜視図。
【図２】（ａ）は同光ディスク再生装置の本体ユニットの斜視図、（ｂ）は同本体ユニットの上ケースを下ケースから分離した状態の斜視図。
【図３】（ａ）は同本体ユニットの上面から見た断面図、（ｂ）は同本体ユニットの側面から見た断面図。
【図４】同光ディスク再生装置の電気的ブロック構成図。
【図５】同光ディスク再生装置における光ピックアップの温度上昇を抑制する効果を検証する実験の実験結果を示す図。
【発明を実施するための形態】
【００１７】
以下、本発明を具体化した実施形態による光ディスク再生装置について図面を参照して説明する。図１（ａ）（ｂ）は、本実施形態による光ディスク再生装置の構成を示す。光ディスク再生装置１は、例えばＤＶＤやＢＤ等の光ディスク１０から記録データを読取る装置である。この光ディスク再生装置１は、携帯型のものである。
【００１８】
光ディスク再生装置１は、本体ユニット２と、表示ユニット３と、ヒンジユニット４とを備えており、表示ユニット３がヒンジユニット４を介して本体ユニット２に取付けられ、表示ユニット３が本体ユニット２に対して回動可能になっている。また、光ディスク再生装置１は、電池パック５を備えており、電池パック５から供給される電力によって動作するようになっている。
【００１９】
本体ユニット２は、ディスク室２１に光ディスク１０が収納されるようになっており、ディスク室２１に収納された光ディスク１０を回転させて、光ディスク１０から記録データを読取る。ディスク室２１は、ディスクカバー２２を開くことにより、光ディスク１０を収納、取出し可能なように開放され、ディスクカバー２２を閉じることにより、閉鎖される。表示ユニット３は、本体ユニット２により光ディスク１０から読取った記録データに基く画像や、メニュー画面等の各種画像を表示する。
【００２０】
ヒンジユニット４は、２軸スイーベルヒンジと呼ばれるヒンジユニットであり、表示ユニット３を本体ユニット２に対して直交２軸に回動可能に連結している。すなわち、表示ユニット３は、本体ユニット２に対して、表示ユニット３の下端部を通って表示ユニット３の下端縁と平行な第１の回動中心軸Ｃ１の軸回りに回動可能になっていると共に、本体ユニット２の後端部の中央を通って本体ユニット２の上面に垂直な第２の回動中心軸Ｃ２の軸回りに回動可能になっている。
【００２１】
電池パック５は、光ディスク再生装置１に電力を供給するものであり、本体ユニット２に対して着脱自在に構成されている。電池パック２は、２次電池を内蔵しており、本体ユニット２に装着されることにより、２次電池の電力を本体ユニット２に供給するようになっている。
【００２２】
光ディスク再生装置１を使用するときには、例えば、表示ユニット３を開いた状態（表示ユニット３を本体ユニット２に対して起立させた状態、又は、表示ユニット３の背面（画像表示面と反対側の面）が本体ユニット２の上面に合わさるように、表示ユニット３を本体ユニット２に対して倒伏させた状態）にされる。また、光ディスク再生装置１を携帯して持ち運ぶときには、例えば、表示ユニット３を閉じた状態（表示ユニット３の正面（画像表示面）が本体ユニット２の上面に合わさるように、表示ユニット３を本体ユニット２に対して倒伏させた状態）にされる。また、光ディスク再生装置１は、不図示の外部装置を接続して使用（光ディスク再生装置１により光ディスクから読取った記録データに基く画像を外部装置のディスプレイに表示）することができるようになっており、外部装置を接続して使用する場合には、例えば、表示ユニット３を閉じた状態にされる。
【００２３】
図２（ａ）（ｂ）、図３（ａ）（ｂ）は、本体ユニット２の構成を示す。本体ユニット２は、本体ケース２０と、光ディスク１０を収納するディスク室２１と、ディスク室２１を開放、閉鎖するためのディスクカバー２２と、光ディスク１０から記録データを読取るための光ディスク読取ユニット２３と、光ディスク再生装置１の動作を制御する回路基板２４とを備える。回路基板２４には、光ディスク再生装置１の動作を制御する制御回路等を構成する電子部品２５（例えばＩＣなどの発熱部品）が実装されている。また、本体ユニット２は、空気を取込んで送出して、空気を流通させるファン２６と、ファン２６から送出された空気を、空気を流通させる区域に導くダクト２７とを備える。
【００２４】
本体ケース２０は、光ディスク読取ユニット２３、回路基板２４、ファン２６、及びダクト２７を収納している。本体ケース２０は、本体ケース２０の下側部分を占める下ケース３１と、本体ケース２０の上側部分を占める上ケース３２とを有しており、下ケース３１と上ケース３２が相互に結合されている。
【００２５】
本体ケース２０には、本体ケース２０の外部から本体ケース２０の内部に空気を吸入するための空気吸入口４１と、本体ケース２０の内部から本体ケース２０の外部に空気を排出するための空気排出口４２ａ、４２ｂが設けられている。空気吸入口４１は、下ケース３１の前壁３１ａに設けられている。空気排出口４２ａは、下ケース３１の一方の側壁３１ｂに設けられており、空気排出口４２ｂは、下ケース３１のもう一方の（側壁３１ｂに対向する）側壁３１ｃに設けられている。
【００２６】
ディスク室２１は、底壁５１と、外周側壁５２とを有している。ディスク室２１の底壁５１及び外周側壁５２は、本体ケース２０の上ケース３２の一部によって構成されている。ディスク室２１の内部は、底壁５１及び外周側壁５２によって、本体ケース２０の内部と隔てられている。底壁５１は、平坦に形成されており、外周側壁５２は、底壁５１から垂直に立ち上がっている。光ディスク１０は、底壁５１及び外周側壁５２に囲まれた領域に収納される。底壁５１には、光ディスク１０からの記録データの読取りに用いる読取用開口６１が設けられている。
【００２７】
ディスクカバー２２は、開閉可能なように、本体ケース２０の上ケース３２に装着されている。ディスクカバー２２を開くことにより、光ディスク１０を収納、取出し可能なようにディスク室２１が開放され、ディスクカバー２２を閉じることにより、ディスク室２１が閉鎖される。
【００２８】
光ディスク読取ユニット２３は、光ディスク１０を回転させるためのスピンドルモータ７１と、光ディスク１０に光を投光すると共に光ディスク１０からの反射光を受光して、その受光強度に対応する受光信号を出力する光ピックアップ７２と、光ピックアップ７２を移動させるためのシークモータ７３とを有する。また、光ディスク読取ユニット２３は、これらスピンドルモータ７１、光ピックアップ７２、及びシークモータ７３を支持するトラバースシャーシ７４と、トラバースカバー７５と、ブラケット７６等を有する。
【００２９】
トラバースシャーシ７４は、下壁部７４ａと、周壁部７４ｂ、７４ｃ、７４ｄ、７４ｅとを有している。下壁部７４ａは、中央部が開口しており、周壁部７４ｂ、７４ｃ、７４ｄ、７４ｅは、下壁部７４ａの外周縁から立ち上がっている。トラバースシャーシ７４は、下壁部７４ａがブラケット７６の上面に接するように、ブラケット７６上に設けられている。
【００３０】
トラバースカバー７５は、トラバースシャーシ７４の周壁部７４ｂ、７４ｃ、７４ｄ、７４ｅの上端に接するように、トラバースシャーシ７４上に設けられている。トラバースカバー７５の中央部には、カバー開口７５ａが設けられている。トラバースシャーシ７４、トラバースカバー７５、及びブラケット７６に囲まれた空間に、スピンドルモータ７１、光ピックアップ７２、及びシークモータ７３が配置されている。なお、以下において、トラバースシャーシ７４、トラバースカバー７５、及びブラケット７６に囲まれた空間のことを、光ディスク読取ユニット２３内の空間という。
【００３１】
スピンドルモータ７１は、トラバースシャーシ７４に取付けられており、光ディスク１０の装着されるディスク装着部７１ａが、トラバースカバー７５のカバー開口７５ａを通して、トラバースカバー７５の上面に突出している。
【００３２】
光ピックアップ７２は、トラバースシャーシ７４に取付けられたガイドレール７７によって、スピンドルモータ７１に接近、離反する方向に移動自在に支持されており、光を投受光する投受光部７２ａが、トラバースカバー７５のカバー開口７５ａに臨んでいる。
【００３３】
シークモータ７３は、トラバースシャーシ７４に取付けられており、シークモータ７３には、ギア７８が取付けられている。ギア７８は、光ピックアップ７２に取付けられたラック７９と噛合している。シークモータ７３が回転すると、ギア７８が回転し、ラック７９と共に光ピックアップ７２が移動（ガイドレール７７にガイドされて、スピンドルモータ７１に接近、離反する方向に移動）する。すなわち、シークモータ７３は、（ギア７８、ラック７９を介して）光ピックアップ７２を移動させる。
【００３４】
ブラケット７６とトラバースシャーシ７４との間には、光ディスク読取ユニット２３内の空間（すなわち、光ピックアップ７２の移動する空間）に連通する隙間８０ａ、８０ｂが設けられている。隙間８０ａは、トラバースシャーシ７４の周壁部７４ｂ側の端縁に設けられており、隙間８０ｂは、トラバースシャーシ７４の周壁部７４ｄ側の端縁に設けられている。
【００３５】
このような構成の光ディスク読取ユニット２３は、ブラケット７６が回路基板２４上に設けられて、回路基板２４上に配置されている。そして、スピンドルモータ７１のディスク装着部７１ａは、ディスク室２１の読取用開口６１からディスク室２１の内部に突出しており、光ピックアップ７２の投受光部７２ａは、ディスク室２１の読取用開口６１に臨んでいる。また、光ディスク読取ユニット２３内の空間と、ディスク室２１の内部とは、カバー開口７５ａ及び読取用開口６１を介して連通している。
【００３６】
光ディスク１０は、ディスク室２１の内部において、スピンドルモータ７１に（ディスク装着部７１ａに）装着されて、ディスク室２１に収納される。スピンドルモータ７１は、光ディスク１０をディスク室２１の内部で回転させ、光ピックアップ７２は、トラバースカバー７５のカバー開口７５ａ及びディスク室２１の読取用開口６１を通して、光ディスク１０に光を投光すると共に光ディスク１０からの反射光を受光する。
【００３７】
光ディスク１０からの記録データの読取りは、スピンドルモータ７１により光ディスク１０を回転させて、光ピックアップ７２により光ディスク１０に光を投光すると共に光ディスク１０からの反射光を受光して行われる。このとき、シークモータ７３により光ピックアップ７２が移動されることにより、光ディスク１０上の記録データの読取位置が調整される。
【００３８】
ファン２６は、光ピックアップ７２の周辺の空気を流通させるものであり、駆動されることにより、空気取込口２６ａから空気を取込んで、空気送出口２６ｂから空気を送出する。空気取込口２６ａは、空気吸入口４１に隣接する位置において、本体ケース２０の空気吸入口４１に対向している。ファン２６は、ブロワータイプのファンである。
【００３９】
ダクト２７は、ファン２６から送出された空気を光ピックアップ７２の周辺に導くものであり、空気が流入する空気流入口２７ａと、空気流入口２７ａから流入した空気を流出する空気流出口２７ｂとを有しており、空気流入口２７ａから空気が流入すると、その空気を空気流出口２７ｂから流出する。空気流入口２７ａは、ファン２６の空気送出口２６ｂに隣接する位置において、空気送出口２６ｂに対向しており、空気流出口２７ｂは、ブラケット７６とシャーシ７４との間の隙間８０ａに隣接する位置において、ブラケット７６とシャーシ７４との間の隙間８０ａに対向している。空気流出口２７ｂの面積は、空気流出口２７ｂから流出する空気の流れを強くするために、空気流入口２７ａの面積よりも小さくなっている。
【００４０】
このような構成の光ディスク再生装置１において、ファン２６の駆動が停止されている状態で、スピンドルモータ７１に装着された光ディスク１０が回転すると、光ディスク１０の回転によって、ディスク室２１の内部で、光ディスク１０の回転方向の気流が発生する。
【００４１】
このとき、光ディスク読取ユニット２３内の空間（光ピックアップ７２の移動する空間）が、カバー開口７５ａ及び読取用開口６１を介して、ディスク室２１の内部と連通していることにより、ディスク室２１の内部で発生する気流（光ディスク１０の回転による気流）につられて、光ディスク読取ユニット２３内の空間で気流が発生する。この気流によって、本体ケース２０の外部から、空気吸入口４１及び隙間８０ａを通って、光ディスク読取ユニット２３内の空間に空気が流れ込むと共に、光ディスク読取ユニット２３内の空間から、隙間８０ｂ及び空気排出口４２ａ、４２ｂを通って、本体ケース２０の外部に空気が排出される。
【００４２】
これにより、光ピックアップ７２の周辺の空気が流通し、光ピックアップ７２が冷却される。カバー開口７５ａ、読取用開口６１、空気吸入口４１、空気排出口４２ａ、４２ｂ、隙間８０ａ、及び隙間８０ｂが、光ディスク１０の回転により発生する気流を利用して光ピックアップ７２を冷却する構成をなしている。
【００４３】
また、ファン２６が駆動されると、ファン２６は、空気取込口２６ａから空気を取込んで、空気送出口２６ｂから空気を送出する。このとき、空気取込口２６ａが、空気吸入口４１に隣接する位置において、空気吸入口４１に対向していることにより、本体ケース２０の外部から、空気吸入口４１を通って、空気取込口２６ａに空気が取込まれて、その空気が空気送出口２６ｂから送出される。
【００４４】
空気送出口２６ｂから送出された空気は、ダクト２７の空気流入口２７ａに流入し、ダクト２７に導かれて、ダクト２７の空気流出口２７ｂから流出される。このとき、ダクト２７の空気流出口２７ｂが、隙間８０ａに隣接する位置において、隙間８０ａに対向していることにより、空気流出口２７ｂから流出された空気は、隙間８０ａを通って、光ディスク読取ユニット２３内の空間に流れ込む。そして、光ディスク読取ユニット２３内の空間に流れ込んだ空気は、隙間８０ｂ及び空気排出口４２ａ、４２ｂを通って、本体ケース２０の外部に排出される。
【００４５】
これにより、光ピックアップ７２の周辺の空気が流通し、光ピックアップ７２が冷却される。空気吸入口４１、空気排出口４２ａ、４２ｂ、隙間８０ａ、隙間８０ｂ、ファン２６、及びダクト２７が、ファン２６により発生させた気流によって光ピックアップ７２を冷却する構成をなしている。ファン２６は、駆動されることにより、空気を取込んで送出して、光ピックアップ７２の周辺の空気を流通させて、光ピックアップ７２を冷却する。
【００４６】
図４は、光ディスク再生装置１の電気的ブロック構成を示す。光ディスク再生装置１は、上述の構成に加え、光ディスク再生装置１の動作を制御する制御部（ファン駆動制御手段）２９等を備える。制御部２９は、上記回路基板２４に実装されている電子部品２５により構成されている。
【００４７】
スピンドルモータ７１は、制御部２９による制御のもと、回転駆動され、光ディスク１０を回転させる。光ピックアップ７２は、制御部２９による制御のもと、光ディスク１０に光を投光し、そして、光ディスク１０からの反射光を受光して、その受光強度に対応する受光信号を出力する。シークモータ７３は、制御部２９による制御のもと、回転駆動され、光ピックアップユニット７２を移動させる。表示ユニット３は、制御部２９による制御のもと、各種画像を表示する。ファン２６は、制御部２９による制御のもと、駆動され、光ピックアップ７２の周辺の空気を流通させて、光ピックアップ７２を冷却する。
【００４８】
制御部２９は、電池パック５から光ディスク再生装置１各部への電力の供給、光ディスク１０から記録データを読取る動作、光ピックアップ７２を冷却する動作（ファン２６の駆動）等、光ディスク再生装置１の各種動作を制御する。
【００４９】
光ディスク１０から記録データを読取る動作は、制御部２９による制御のもと、以下のようにして行われる。すなわち、制御部２９は、スピンドルモータ７１により光ディスク１０を回転させると共に、光ピックアップ７２の投受光部７２ａから光を投光させる。そして、制御部２９は、光ピックアップ７２から出力される受光信号を解析することにより、光ディスク１０に記録されている記録データ（光ディスク１０の記録領域上の位置を示すアドレスデータや、画像を表示するための画像データ、画像データを管理するための管理データ等の各種データ）を判読する。
【００５０】
このとき、制御部２９は、光ディスク１０上の記録データの読取位置（光ピックアップ７２から投光された光の光ディスク１０上の照射位置）が所望の位置となるように、シークモータ７３により光ピックアップ７２を移動させる。
【００５１】
また、制御部２９は、光ディスク１０上の記録データの読取位置における光ディスク１０の線速度が所定の線速度で一定となるように、スピンドルモータ７１の回転駆動を制御する。すなわち、スピンドルモータ７１は、光ディスク１０から記録データを読取る動作が行われているときにおいて、制御部２９による制御のもと、光ディスク１０上の記録データの読取位置における光ディスク１０の線速度が所定の線速度となるように、光ディスク１０を回転させる。光ディスク１０から記録データを読取る動作は、このようにして行われる。
【００５２】
光ピックアップ７２を冷却する動作は、光ディスク１０から記録データを読取る動作が行われているときに、行われる。光ピックアップ７２を冷却する動作は、制御部２９による制御のもと、以下のようにして行われる。すなわち、制御部２９は、光ディスク１０から記録データを読取る動作が行われているときにおいて、ファン２６を駆動すべき所定の状況であるときに、ファン２６を駆動し、ファン２６を駆動すべき所定の状況でないときに、ファン２６の駆動を停止する。
【００５３】
ここで、ファン２６を駆動すべき所定の状況とは、光ピックアップ７２の温度上昇を抑制するのに、光ディスク１０の回転により発生する気流を利用するだけでは不十分な状況のことであり、本実施形態では、光ディスク１０の回転の角速度が所定の角速度（例えば、回転数が２０００ｒｐｍとなる角速度）よりも遅い状況のことである。
【００５４】
つまり、制御部２９は、光ディスク１０から記録データを読取る動作が行われているときにおいて、光ディスク１０の回転の角速度が所定の角速度よりも遅い状況であるときに、ファン２６を駆動すべき所定の状況であるとして、ファン２６を駆動し、光ディスク１０の回転の角速度が所定の角速度よりも遅い状況でないときに、ファン２６を駆動すべき所定の状況でないとして、ファン２６の駆動を停止する。
【００５５】
記録データを読取る動作が行われているとき、光ディスク１０は、記録データの読取位置における光ディスク１０の線速度が所定の線速度で一定となるように回転している。従って、光ディスク１０の回転の角速度は、光ディスク１０上の記録データの読取位置に対応して異なり、記録データの読取位置が光ディスク１０の内周側である場合には、光ディスク１０の回転の角速度が速く、記録データの読取位置が光ディスク１０の外周側である場合には、光ディスク１０の回転速度が遅い。例えば、記録データの読取位置が光ディスク１０の最内周側である場合には、光ディスク１０は、回転数が５０００ｒｐｍとなる角速度で回転し、記録データの読取位置が光ディスク１０の最外周側である場合には、光ディスク１０は、回転数が１１００ｒｐｍとなる角速度で回転する。また、例えば、記録データの読取位置が光ディスク１０の最内周側から２／３の位置である場合には、光ディスク１０は、回転数が２０００ｒｐｍとなる角速度で回転する。
【００５６】
このように光ディスク１０上の記録データの読取位置が光ディスク１０の回転の角速度に対応していることから、本実施形態におけるファン２６を駆動すべき所定の状況とは、光ディスク１０の回転の角速度が所定の角速度（回転数が２０００ｒｐｍとなる角速度）よりも遅い状況のことであると共に、光ディスク１０上の記録データの読取位置が所定の読取位置（光ディスク１０の最内周側から２／３の位置）よりも光ディスク１０の外周側である状況である。
【００５７】
そこで、本実施形態では、制御部２９は、光ピックアップ７２から出力される受光信号から判読したアドレスデータに基いて、光ディスク１０上の記録データの読取位置を検出し、そして、光ディスク１０上の記録データの読取位置が所定の読取位置よりも光ディスク１０の外周側である状況であるときに、ファン２６を駆動し、光ディスク１０上の記録データの読取位置が所定の読取位置よりも光ディスク１０の外周側である状況でないときに、ファン２６の駆動を停止する。
【００５８】
また、光ピックアップ７２の位置は、光ディスク１０上の記録データの読取位置と対応している。従って、本実施形態におけるファン２６を駆動すべき所定の状況とは、光ピックアップ７２の位置が所定の位置（記録データの読取位置が光ディスク１０の最内周側から２／３の位置に対応する位置）よりもスピンドルモータ７２から離れている状況でもある。つまり、別の見方をすれば、制御部２９は、光ピックアップ７２から出力される受光信号から判読したアドレスデータに基いて、光ピックアップ７２の位置を検出し、そして、光ピックアップ７２の位置が所定の位置よりもスピンドルモータ７２から離れている状況であるときに、ファン２６を駆動し、光ピックアップ７２の位置が所定の位置よりもスピンドルモータ７２から離れている状況でないときに、ファン２６の駆動を停止する。光ピックアップ７２を冷却する動作は、このようにして行われる。
【００５９】
図５は、光ディスク再生装置１における光ピックアップ７２の温度上昇を抑制する効果を検証する実験の実験結果を示す。本発明の光ディスク再生装置１について、光ピックアップ７２の温度上昇を抑制する効果（冷却効果）を検証する実験を行った。実験は、本発明の光ディスク再生装置１と、オリジナル（本発明の光ディスク再生装置１と異なる、ファン２６及びダクト２７を備えていない構成）の光ディスク再生装置について、光ディスク１０の外周側の記録データを読取っている状況を想定して、光ディスク１０を１１００ｒｍｐの回転数で３時間継続して回転させた時点での温度を測定することにより行った。なお、オリジナルの光ディスク再生装置は、ファン２６及びダクト２７を備えていない以外は、本発明の光ディスク再生装置１と同様の構成である。また、本発明の光ディスク再生装置１については、光ディスク１０の回転と共に、ファン２６を５ｖの電圧で駆動した場合、６ｖの電圧で駆動した場合、７ｖの電圧で駆動した場合について、温度を測定した。温度の測定は、（１）本体ケース２０の内部における、光ディスク読取ユニット２３の外部の第１の位置（図２（ｂ）に示すＡ点の位置）、（２）本体ケース２０の内部における、光ディスク読取ユニット２３の外部の第２の位置（図２（ｂ）に示すＢ点の位置）、（３）本体ケース２０の内部における、光ディスク読取ユニット２３内の位置（図２（ｂ）に示すＣ点の位置）、（４）本体ケース２０の外部の位置（図２（ｂ）に示すＤ点の位置）、の４箇所の位置で行った。
【００６０】
実験の結果は、図５に示すようになった。図５において、「セット内部１」とは、上記（１）の「本体ケース２０の内部における、光ディスク読取ユニット２３の外部の第１の位置（図２（ｂ）に示すＡ点の位置）」のことであり、「セット内部２」とは、上記（２）の「本体ケース２０の内部における、光ディスク読取ユニット２３の外部の第２の位置（図２（ｂ）に示すＢ点の位置）」のことであり、「ＯＰＵ周囲」とは、上記（３）の「本体ケース２０の内部における、光ディスク読取ユニット２３内の位置（図２（ｂ）に示すＣ点の位置）」のことであり、「セット周囲」とは、上記（４）の「本体ケース２０の外部の位置（図２（ｂ）に示すＤ点の位置）」のことである。また、「実測温度」とは、「セット内部１」「セット内部２」「ＯＰＵ周囲」「セット周囲」において測定した温度であり、「Δｔ」とは、「セット内部１」「セット内部２」「ＯＰＵ周囲」において測定した温度と「セット周囲」において測定した温度との温度差である。
【００６１】
実験の結果、オリジナルの光ディスク再生装置では、「ＯＰＵ周囲」の温度について、測定温度が７３．６度であり、仕様上の動作保障温度７５．０度と１．４度しか温度差がない。従って、オリジナルの光ディスク再生装置では、光ピックアップ７２の温度上昇を抑制する効果が十分には得られていない。また、オリジナルの光ディスク再生装置では、使用環境等により、「ＯＰＵ周囲」の温度が仕様上の動作保障温度を超えてしまう懸念がある。
【００６２】
これに対し、本発明の光ディスク再生装置１においてファン２６を７ｖの電圧で駆動した場合では、「ＯＰＵ周囲」の温度について、測定温度が４５．０度であり、仕様上の動作保障温度７５．０度と３０．０度の温度差がある。従って、本発明の光ディスク再生装置１においてファン２６を７ｖの電圧で駆動した場合では、光ピックアップ７２の温度上昇を抑制する効果が十分に得られている。また、本発明の光ディスク再生装置１においてファン２６を６ｖの電圧で駆動した場合、及びファン２６を５ｖの電圧で駆動した場合でも、「ＯＰＵ周囲」の温度について、仕様上の動作保障温度と十分な温度差があり、光ピックアップ７２の温度上昇を抑制する効果が十分に得られている。
【００６３】
本発明の光ディスク再生装置１によれば、光ディスク１０の回転の角速度が所定の角速度よりも遅い状況であるとき（すなわち、所定の状況であって、光ピックアップ７２の温度上昇を抑制するのに、光ディスク１０の回転により発生する気流を利用するだけでは不十分な状況であるとき）に、ファン２６が駆動されて、ファン２６により発生させた気流によって、光ピックアップ７２が冷却される。また、光ディスク１０の回転の角速度が所定の角速度よりも遅い状況でないとき（すなわち、所定の状況でないときであって、光ピックアップ７２の温度上昇を抑制するのに、光ディスク１０の回転により発生する気流を利用するだけで十分な状況であるとき）に、ファン２６の駆動が停止されて、光ディスク１０の回転により発生する気流によって、光ピックアップ７２が冷却される。従って、電池パック５の消費電力を抑えつつ、光ピックアップ７２の温度上昇を抑制することができる。
【００６４】
なお、本発明は、上記実施形態の構成に限られず、種々の変形が可能である。例えば、スピンドルモータの回転数を検出するセンサ、又はスピンドルモータの回転の角速度を検出するセンサを設けて、そのセンサ出力に基いて、光ディスクの回転の角速度が所定の角速度よりも遅い状況であるときに、ファンを駆動し、光ディスクの回転の角速度が所定の角速度よりも遅い状況でないときに、ファンの駆動を停止するようにしてもよい。また、光ピックアップの周辺の空気の温度が所定の温度よりも高い状況を所定の状況としてもよい。すなわち、光ピックアップの周辺の空気の温度を測定する温度センサを設けて、この温度センサの出力に基いて、光ピックアップの周辺の空気の温度が所定の温度よりも高い状況であるときに、ファンを駆動し、光ピックアップの周辺の空気の温度が所定の温度よりも高い状況でないときに、ファンの駆動を停止するようにしてもよい。
【符号の説明】
【００６５】
１    光ディスク再生装置
２    本体ユニット
３    表示ユニット
４    ヒンジユニット
５    電池パック
１０    光ディスク
２０    本体ケース
２１    ディスク室
２２    ディスクカバー
２３    光ディスク読取ユニット
２４    回路基板
２５    電子部品
２６    ファン
２６ａ    空気取込口
２６ｂ    空気送出口
２７    ダクト
２７ａ    空気流入口
２７ｂ    空気流出口
２９    制御部（ファン駆動制御手段）
３１    下ケース
３１ａ    下ケースの前壁
３１ｂ、３１ｃ    下ケースの側壁
３２    上ケース
４１    空気吸入口
４２ａ、４２ｂ    空気排出口
５１    ディスク室の底壁
５２    ディスク室の外周側壁
６１    読取用開口
７１    スピンドルモータ
７１ａ    ディスク装着部
７２    光ピックアップ
７２ａ    投受光部
７３    シークモータ
７４    トラバースシャーシ
７４ａ    トラバースシャーシの下壁部
７４ｂ、７４ｂ、７４ｃ、７４ｄ    トラバースシャーシの周壁部
７５    トラバースカバー
７５ａ    カバー開口
７６    ブラケット
７７    ガイドレール
７８    ギア
７９    ラック
８０ａ、８０ｂ    隙間
【図１】
2012038394.tif 000003
【図２】
2012038394.tif 000004
【図３】
2012038394.tif 000005
【図４】
2012038394.tif 000006
【図５】
2012038394.tif 000007